(57)【要約】【課題】  アドレスの設定を設定間違いをすることなく簡単に行う。【解決手段】  冷却装置２ごとに設けられた電子コントローラ１の操作ボタンを操作することにより、仮アドレスを用いた局アドレス登録要求が上位制御機器２０に送信される。上位制御機器２０は、各電子コントローラに割り当てた局アドレスを記憶している局アドレス登録テーブルを参照して登録されていない局アドレスのうちの一番若い番号をその電子コントローラの局アドレスとして割り当てる。電子コントローラが複数系統の通信路に接続されているときは、上位制御機器から周期的に局アドレス登録許可を送信し、局アドレス登録要求のあった電子コントローラに対して、未登録のうちの一番若い番号の局アドレスと複数の系統を統括して付与した論理的なアドレスの未登録のもののうち一番若い番号の論理的なアドレスとを割り当てる。【選択図】  図１
2006029769.tif 000002
【特許請求の範囲】
【請求項１】
冷却装置ごとに設けられたコントローラと、複数の前記コントローラに通信路を介して接続された上位制御機器とを有する冷却装置の集中監視システムであって、
前記コントローラは、
前記通信路に接続された通信部と、
仮アドレスを用いて前記上位制御機器に局アドレス登録要求を送出する手段と、
該局アドレス登録要求に対する前記上位制御機器からの応答により指示されたアドレスを自局アドレスとして設定する手段とを有し、
前記上位制御機器は、
前記通信路に接続された通信部と、
前記コントローラからの局アドレス登録要求に応じて、コントローラに割り当てられていないアドレスのうちで最も番号の若いアドレスをそのコントローラに指示する手段とを有する
ことを特徴とする冷却装置の集中監視システム。
【請求項２】
冷却装置ごとに設けられるコントローラであって、
上位制御機器と通信するための通信部と、
ユーザの第１の操作に応じて、仮アドレスを用いて前記上位制御機器に局アドレス登録要求を送出する手段と、
該局アドレス登録要求に対する前記上位制御機器からの応答により指示されたアドレスを自局アドレスとして設定するアドレス設定手段と
を有することを特徴とする冷却装置のコントローラ。
【請求項３】
表示部と、
前記アドレス設定手段により自局アドレスが設定されたときに、該自局アドレスを前記表示部に表示する手段と
を有することを特徴とする請求項２記載の冷却装置のコントローラ。
【請求項４】
ユーザの第２の操作に応じて、前記上位制御機器に対して、局アドレス登録抹消要求を送出する手段と、
該局アドレス登録抹消要求に対する前記上位制御機器の応答に応じて、自局アドレスの設定を消去する手段と
を有することを特徴とする請求項２又は３記載の冷却装置のコントローラ。
【請求項５】
ユーザの第３の操作に応じて、前記上位制御機器に対して、現在オフライン状態となっているコントローラに割り当てられているアドレスを問い合わせる局アドレス情報要求を送出する手段と、
該局アドレス情報要求に応答して前記上位制御機器から通知されるアドレスを自局アドレスとして設定する手段と
を有することを特徴とする請求項２〜４のいずれかに記載の冷却装置のコントローラ。
【請求項６】
冷却装置の上位制御機器であって、
前記冷却装置ごとに設けられたコントローラに通信路を介して接続される通信部と、
コントローラとそれに割り当てられているアドレスとの対応関係を記憶する局アドレス登録テーブルと、
前記コントローラからの局アドレス登録要求に応じて、前記局アドレス登録テーブルを参照し、コントローラに割り当てられていないアドレスのうちの最も番号の若いアドレスをそのコントローラに指示する手段と
を有することを特徴とする冷却装置の上位制御機器。
【請求項７】
前記コントローラからの局アドレス登録抹消要求に応じて、前記局アドレス登録テーブルに格納されているそのコントローラのアドレスを消去する手段を有することを特徴とする請求項６記載の冷却装置の上位制御機器。
【請求項８】
前記各コントローラとの通信状態を監視し、オンライン状態にあるかオフライン状態にあるかを判断する判断部と、
該判断部により判断された各コントローラの通信状態を記憶する手段と、
前記コントローラからの局アドレス情報要求に応じて、オフライン状態となっているコントローラのアドレスを通知する手段と
を有することを特徴とする請求項６又は７記載の冷却装置の上位制御機器。
【請求項９】
冷却装置ごとに設けられたコントローラと、複数の前記コントローラに複数の通信路を介して接続された上位制御機器とを有する冷却装置の集中監視システムであって、
前記コントローラは、
一つの前記通信路に接続された通信部と、
前記上位制御機器からの局アドレス登録許可の受信及びユーザ操作に応じて局アドレス登録要求を送出する手段と、
該局アドレス登録要求に応じて前記上位制御機器から指示される局アドレスと論理的なアドレスを自局アドレスとして設定する手段とを有し、
前記上位制御機器は、
前記通信路に接続された複数の通信部と、
前記複数のコントローラに対して所定時間間隔で局アドレス登録許可を送出する手段と、
前記コントローラからの局アドレス登録要求に応じて、そのコントローラが接続されている通信系統においてコントローラに割り当てられていない局アドレスのうちで最も若い番号の局アドレスと、複数の通信系統にまたがって割り当てられる論理的なアドレスのうちのコントローラに割り当てられていないもののうちで最も番号の若い論理的なアドレスとをそのコントローラに指示する手段とを有する
ことを特徴とする冷却装置の集中監視システム。
【請求項１０】
冷却装置ごとに設けられるコントローラであって、
上位制御機器と通信するための通信部と、
上位制御機器からの局アドレス登録許可の受信及びユーザ操作に応じて、前記上位制御機器に局アドレス登録要求を送出する手段と、
該局アドレス登録要求に応じて前記上位制御機器から指示される局アドレスと論理的なアドレスを自局アドレスとして設定する手段と
を有することを特徴とする冷却装置のコントローラ。
【請求項１１】
表示部と、
前記上位制御機器から前記局アドレス登録許可を受信したときに、通信可能状態であることを前記表示部に表示する手段と
を有することを特徴とする請求項１０記載の冷却装置のコントローラ。
【請求項１２】
前記アドレス設定手段により自局の局アドレスと論理的なアドレスが設定されたときに、該論理的なアドレスを前記表示部に表示する手段を有することを特徴とする請求項１１記載の冷却装置のコントローラ。
【請求項１３】
冷却装置の上位制御機器であって、
前記冷却装置ごとに設けられたコントローラに通信路を介して接続される複数の通信部と、
前記複数の通信部に接続される各通信系統ごとに設けられ、各局アドレスと複数の通信系統にまたがって割り当てられる論理的なアドレスとの対応を記憶する局アドレス登録管理テーブルと、
前記論理的なアドレスと前記各通信系統の局アドレスとの対応を記憶する論理アドレス登録管理テーブルと、
前記複数のコントローラに対して所定時間間隔で局アドレス登録許可を送出する手段と、
前記コントローラからの局アドレス登録要求に応じて、前記局アドレス登録管理テーブルと前記論理アドレス登録管理テーブルを参照して、そのコントローラが接続されている通信系統においてコントローラに割り当てられていない局アドレスのうちで最も若い番号の局アドレスと、複数の通信系統にまたがって割り当てられる論理的なアドレスのうちのコントローラに割り当てられていないもののうちで最も番号の若い論理的なアドレスとをそのコントローラに指示する手段と
を有することを特徴とする冷却装置の上位制御機器。
【発明の詳細な説明】
【技術分野】
【０００１】
本発明は、冷蔵ショーケース等の冷却装置の集中監視システム、冷却装置のコントローラ、及び、冷却装置の上位制御機器に関する。
【背景技術】
【０００２】
複数の冷蔵ショーケース等を上位制御機器で集中監視する冷却装置の集中監視システムが知られている。
このような集中監視システムにおいては、各ショーケースごとに設けた制御装置（コントローラ）を通信路を介して上位制御機器に接続して集中監視するようにしているため、前記コントローラにそれぞれ異なるアドレス（局アドレス）を設定することが必要である。
複数のコントローラにそれぞれ異なる局アドレスを設定するために、従来は、各コントローラにアドレスを設定するアドレス設定器を設け、該アドレス設定器により各コントローラのアドレスを設定するようになされていた（特許文献１）。
また、ショーケースごとに出荷に先立ってランダム数からなるシリアル番号を設定しておき、重複したシリアル番号が無ければそのシリアル番号をそのショーケースの局アドレスに設定することも提案されている（特許文献２）。
【特許文献１】特許第３１５６３０２号公報
【特許文献２】特開平１０−３０６９７３号公報
【発明の開示】
【発明が解決しようとする課題】
【０００３】
上記特許文献１のように、各コントローラに設けられたアドレス設定器を用いて各コントローラの局アドレスを設定する方法の場合には、店舗の規模が大きくなると、接続されるショーケースの数も多くなりアドレス番号も大きくなることから、設定操作に時間がかかっていた。また、設定間違いをする可能性もあった。
局アドレスの設定の操作性を良くすると一度設定したアドレスが間違って変更され監視ができなくなる可能性が増え、逆に、操作性を悪くして容易に設定や変更をできないようにすると、局アドレス設定に時間がかかりスタートアップに多大な作業工数を必要とするという問題がある。
さらに、上記特許文献２に記載された方法によれば、局アドレスの設定間違いを防止することができるが、ショーケースの設置場所と局アドレスが関連していないため、何らかの手段により局アドレスと機器の関係を判別しなければならないという問題があった。
さらにまた、接続される冷却装置数が多く、複数系統の通信回線を介して電子コントローラと接続する場合には、通信回線ごとに割り当てられた局アドレスを管理者が管理しやすい論理的なアドレスに割り当てて監視しようとすると、前記局アドレスを論理的なアドレスに割り付けるための作業工数や前記割付の間違いを確認するための作業工数が必要となる。さらにまた、制御温度が同じコントローラであると間違った論理的なアドレスの割付を発見することが容易でなく、間違ったまま運用してしまうという問題があった。さらにまた、上位制御機器は、各通信部（通信ポート）に接続する局アドレスをあらかじめ登録しておく必要があり、上位制御機器の各通信部の局アドレスを管理者が管理しやすい論理的なアドレスに割り当てるための一覧表を事前に準備する必要があった。また、間違った局アドレス設定をしても検知することが困難であることからスタートアップに時間がかかってしまうという問題があった。
【０００４】
そこで本発明は、局アドレス設定作業を簡単に行うことができるとともに、局アドレスを重複して設定するなどの設定間違いを防止することができる冷却装置の集中監視システム、冷却装置のコントローラ、及び、冷却装置の上位制御機器を提供することを目的としている。
【課題を解決するための手段】
【０００５】
上記目的を達成するために、本発明の冷却装置の集中監視システムは、冷却装置ごとに設けられたコントローラと、複数の前記コントローラに通信路を介して接続された上位制御機器とを有する冷却装置の集中監視システムであって、前記コントローラは、前記通信路に接続された通信部と、仮アドレスを用いて前記上位制御機器に局アドレス登録要求を送出する手段と、該局アドレス登録要求に対する前記上位制御機器からの応答により指示されたアドレスを自局アドレスとして設定する手段とを有し、前記上位制御機器は、前記通信路に接続された通信部と、前記コントローラからの局アドレス登録要求に応じて、コントローラに割り当てられていないアドレスのうちで最も番号の若いアドレスをそのコントローラに指示する手段とを有するものである。
【０００６】
また、本発明の冷却装置のコントローラは、冷却装置ごとに設けられるコントローラであって、上位制御機器と通信するための通信部と、ユーザの第１の操作に応じて、仮アドレスを用いて前記上位制御機器に局アドレス登録要求を送出する手段と、該局アドレス登録要求に対する前記上位制御機器からの応答により指示されたアドレスを自局アドレスとして設定するアドレス設定手段とを有するものである。
さらに、表示部と、前記アドレス設定手段により自局アドレスが設定されたときに、該自局アドレスを前記表示部に表示する手段とを有するものである。
さらにまた、ユーザの第２の操作に応じて、前記上位制御機器に対して、局アドレス登録抹消要求を送出する手段と、該局アドレス登録抹消要求に対する前記上位制御機器の応答に応じて、自局アドレスの設定を消去する手段とを有するものである。
さらにまた、ユーザの第３の操作に応じて、前記上位制御機器に対して、現在オフライン状態となっているコントローラに割り当てられているアドレスを問い合わせる局アドレス情報要求を送出する手段と、該局アドレス情報要求に応答して前記上位制御機器から通知されるアドレスを自局アドレスとして設定する手段とを有するものである。
【０００７】
さらにまた、本発明の冷却装置の上位制御機器は、冷却装置の上位制御機器であって、前記冷却装置ごとに設けられたコントローラに通信路を介して接続される通信部と、コントローラとそれに割り当てられているアドレスとの対応関係を記憶する局アドレス登録テーブルと、前記コントローラからの局アドレス登録要求に応じて、前記局アドレス登録テーブルを参照し、コントローラに割り当てられていないアドレスのうちの最も番号の若いアドレスをそのコントローラに指示する手段とを有するものである。
さらにまた、前記コントローラからの局アドレス登録抹消要求に応じて、前記局アドレス登録テーブルに格納されているそのコントローラのアドレスを消去する手段を有するものである。
さらにまた、前記各コントローラとの通信状態を監視し、オンライン状態にあるかオフライン状態にあるかを判断する判断部と、該判断部により判断された各コントローラの通信状態を記憶する手段と、前記コントローラからの局アドレス情報要求に応じて、オフライン状態となっているコントローラのアドレスを通知する手段とを有するものである。
【０００８】
さらにまた、本発明の他の冷却装置の集中監視システムは、冷却装置ごとに設けられたコントローラと、複数の前記コントローラに複数の通信路を介して接続された上位制御機器とを有する冷却装置の集中監視システムであって、前記コントローラは、一つの前記通信路に接続された通信部と、前記上位制御機器からの局アドレス登録許可の受信及びユーザ操作に応じて局アドレス登録要求を送出する手段と、該局アドレス登録要求に応じて前記上位制御機器から指示される局アドレスと論理的なアドレスを自局アドレスとして設定する手段とを有し、前記上位制御機器は、前記通信路に接続された複数の通信部と、前記複数のコントローラに対して所定時間間隔で局アドレス登録許可を送出する手段と、前記コントローラからの局アドレス登録要求に応じて、そのコントローラが接続されている通信系統においてコントローラに割り当てられていない局アドレスのうちで最も若い番号の局アドレスと、複数の通信系統にまたがって割り当てられる論理的なアドレスのうちのコントローラに割り当てられていないもののうちで最も番号の若い論理的なアドレスとをそのコントローラに指示する手段とを有するものである。
【０００９】
さらにまた、本発明の他の冷却装置のコントローラは、冷却装置ごとに設けられるコントローラであって、上位制御機器と通信するための通信部と、上位制御機器からの局アドレス登録許可の受信及びユーザ操作に応じて、前記上位制御機器に局アドレス登録要求を送出する手段と、該局アドレス登録要求に応じて前記上位制御機器から指示される局アドレスと論理的なアドレスを自局アドレスとして設定する手段とを有するものである。
さらにまた、表示部と、前記上位制御機器から前記局アドレス登録許可を受信したときに、通信可能状態であることを前記表示部に表示する手段、さらには、前記アドレス設定手段により自局の局アドレスと論理的なアドレスが設定されたときに、該論理的なアドレスを前記表示部に表示する手段を有するものである。
さらにまた、本発明の他の冷却装置の上位制御機器は、冷却装置の上位制御機器であって、前記冷却装置ごとに設けられたコントローラに通信路を介して接続される複数の通信部と、前記複数の通信部に接続される各通信系統ごとに設けられ、各局アドレスと複数の通信系統にまたがって割り当てられる論理的なアドレスとの対応を記憶する局アドレス登録管理テーブルと、前記論理的なアドレスと前記各通信系統の局アドレスとの対応を記憶する論理アドレス登録管理テーブルと、前記複数のコントローラに対して所定時間間隔で局アドレス登録許可を送出する手段と、前記コントローラからの局アドレス登録要求に応じて、前記局アドレス登録管理テーブルと前記論理アドレス登録管理テーブルを参照して、そのコントローラが接続されている通信系統においてコントローラに割り当てられていない局アドレスのうちで最も若い番号の局アドレスと、複数の通信系統にまたがって割り当てられる論理的なアドレスのうちのコントローラに割り当てられていないもののうちで最も番号の若い論理的なアドレスとをそのコントローラに指示する手段とを有するものである。
【発明の効果】
【００１０】
本発明の冷却装置の集中監視システム、冷却装置のコントローラ、及び、冷却装置の上位制御機器によれば、局アドレスの設定操作を簡単に、かつ、間違えることなく確実に行うことができ、スタートアップ作業時間を短縮することができる。
また、あらかじめ想定される自動設定された局アドレスを表示部にて確認することができるため、コントローラの設置場所と局アドレスとを関連付けて確認することができる。
さらに、設定された局アドレスが間違えたものであったときには、その設定を抹消することができる。
さらにまた、コントローラを交換した場合等に、もとのコントローラと同一の局アドレスを設定することができる。
さらにまた、コントローラの局アドレスが登録済みであるのか、局アドレスが未登録で局アドレスが登録可能な状態であるのか、あるいは、局アドレスが未登録で例えば通信の配線が正しく実施されていないため局アドレスが登録できない状態（通信不能な状態）であるのかといったコントローラの通信上の状態を表示で確認することができ、スタートアップ作業時間を短縮することができる。
さらにまた、管理者が、上位制御機器に表示したい順番にコントローラの局アドレス登録操作をすることで、局アドレスの登録を時系列に配置した論理的なアドレスをもったテーブルを自動的に作成することができ、システムの拡張等で自由度の高い集中監視システムを提供することができる。
さらにまた、上位制御機器において表示されるアドレスである論理的なアドレスをコントローラのアドレスとしてコントローラに表示することができるため、管理者にとってメンテナンスがしやすい集中監視システムを提供することができる。
さらにまた、上位制御機器とコントローラとで共通のアドレスで管理することができるため、系統（配線）を意識する必要がなく、コントローラの設置場所を把握しやすいという効果もある。
【発明を実施するための最良の形態】
【００１１】
図１は、本発明の冷却装置の集中監視システムの第１の実施の形態の全体構成を示す図、図２は上位制御機器の一構成例を示すブロック図、図３は庫内温度制御や除霜制御等を行う電子コントローラの一構成例を示すブロック図である。本発明は、冷蔵ショーケース、冷凍ショーケース、冷蔵庫など各種の冷却装置の集中監視に適用することができるが、ここでは、冷却装置として冷蔵ショーケース（以下、単に「ショーケース」と呼ぶ。）を使用した場合について説明する。
【００１２】
図１において、１1〜１n（ｎは２以上の整数）は後述の各ショーケース２1〜２nにそれぞれ対応して設けられ、対応するショーケース２1〜２nの庫内温度の制御や除霜制御を行うとともに、その運転状況などの情報を後述の上位制御機器２０に通知するコントローラ（電子コントローラ）、２1〜２nはショーケース、１０は複数の電子コントローラ１1〜１nと上位制御機器２０とを接続する通信路、２０は前記通信路１０を介して前記電子コントローラ１1〜１nに接続され各ショーケース２1〜２nの動作状態等を集中監視する上位制御機器である。
【００１３】
上位制御機器２０は、図２に示すように、前記通信路１０に接続された通信部２１、各電子コントローラ１1〜１nから通知される各ショーケース２1〜２nの動作状態を示す情報や各種データなどを記憶するＲＡＭ等からなる記憶部２２、各電子コントローラ１1〜１nとそれらに設定された局アドレスとの対応関係を記憶する局アドレス登録テーブル、制御プログラム及び各種設定データを記憶するフラッシュメモリー等の不揮発性メモリーからなる保存部２３、管理者などにより操作される操作部２４、前記操作部２４の操作などに応じて各種情報を表示する表示部２５、及び、マイクロコンピュータなどで構成され、装置全体の動作の制御などを行う判断部２６から構成されている。
【００１４】
図３に示すように、各電子コントローラ１（以下、各電子コントローラを区別せずに呼ぶときは、「電子コントローラ１」と呼ぶ。）は、それぞれ対応するショーケース２（以下、各ショーケースを区別せずに呼ぶときは、単に「ショーケース２」と呼ぶ。）の給液電磁弁３を制御する電磁弁駆動回路１１、ショーケース２の庫内温度を測定する庫内温度センサ４からのセンサ信号を入力する温度センサ入力回路１２、マイクロコンピュータなどからなる制御部１３、前記温度センサ入力回路１２からのアナログ信号をデジタルデータに変換して前記制御部１３に出力するアナログデジタル（Ａ／Ｄ）変換器１４、運用者（オペレータ）などにより操作される操作部１５、制御プログラムや庫内の温度設定値をはじめとする各種設定値及びこの電子コントローラ１に割り当てられている自局アドレスなどを記憶するフラッシュメモリー等の不揮発性メモリーからなる保存部１６、前記通信路１０を介して前記上位制御機器２０と通信するための通信部１７、各種データを表示する表示部１８、及び、前記庫内温度センサ４により計測された庫内温度情報やショーケース２の運転状態などの運転履歴情報を記憶するＲＡＭ等からなる記憶部１９から構成されている。
【００１５】
このように構成された冷却装置の集中監視システムにおいて、各電子コントローラ１の局アドレスが設定され定常運転されているときには、各電子コントローラ１において、それぞれ対応するショーケース２の庫内温度センサ４からのアナログ信号が温度センサ入力回路１２より入力され、Ａ／Ｄ変換器１４を通って制御部１３に入力される。制御部１３では、入力された庫内温度データに基づいて電磁弁駆動回路１１を介して給液電磁弁３の制御（例えば、オン／オフ）を行う。これにより、ショーケース２の庫内温度が庫内温度設定値となるように制御される。
また、各電子コントローラ１は、前記保存部１６に記憶されている自局アドレスを用いて、庫内温度データを含む各種計測データや給液電磁弁３のオン／オフ状態を含む各種状態データを、定期的に通信部１７より前記上位制御機器２０へ送信する。
前記上位制御機器２０は通信路１０に接続された全ての電子コントローラ１1〜１nからの各種計測データや各種状態データを通信部２１により受信し、定期的に履歴データとして記憶部２２へ保存する。
【００１６】
一方、装置の設置時など、前記電子コントローラ１1〜１nの各保存部１６に自局アドレスが記憶されていないときは、次に説明するようにその電子コントローラ１の局アドレスが設定される。
以下、電子コントローラ１の局アドレスの設定に関する処理について、図４〜図７のフローチャートを参照して説明する。ここで、図４は電子コントローラ１における通信メイン処理のフローチャート、図５は上位制御機器２０における通信メイン処理のフローチャート、図６は上位制御機器２０における局アドレス登録処理のフローチャート、図７は上位制御機器２０における局アドレス登録抹消処理のフローチャートである。
【００１７】
図４に示す電子コントローラ１の通信メイン処理において、電子コントローラ１の動作が開始されると、まず、前記保存部１６に自局アドレスが記憶されているか否かが判定される（ステップＳ１）。
装置の設置時などで前記保存部１６に自局アドレスが格納されていない場合は、上位制御機器２０と通信を行わず、表示部１８に局アドレス未設定状態である旨を表示し（ステップＳ２）、オペレータにより操作部１５の第１の所定の操作（例えば、所定の押しボタンの押圧）が行われるまで待機する（ステップＳ３）。なお、操作部１５の代わりに、赤外線リモコン装置など用いるようにしてもよい。
そして、オペレータにより操作部１５の所定の押しボタンの操作などの第１の所定の操作が行われると（ステップＳ３がＹＥＳ）、仮アドレスを付加した局アドレス登録要求（自局アドレスの問い合わせ）を上位制御機器２０に対して送信する（ステップＳ４）。
ここで、前記仮アドレスは実際に割り当てられる局アドレスとは異なるアドレスの範囲の中からランダムに割り当てる。例えば、１〜６４が実際の局アドレスの範囲であれば、６５〜２５５を仮アドレスの範囲とし、その中からランダムに選択したアドレスを仮アドレスとすることで、仮アドレスの重複を防止するようにしている。
【００１８】
前記上位制御機器２０は図５に示す通信メイン処理を実行している。すなわち、前記電子コントローラ１1〜１nからの要求に応じて、局アドレス登録処理（ステップＳ２１，図６）、局アドレス登録抹消処理（ステップＳ２２，図７）、及び、前記保存部２３に記憶している局アドレス登録テーブルに登録済みの電子コントローラ１との通信の各処理を行っている（ステップＳ２３，Ｓ２４）。
電子コントローラ１から前記局アドレス登録要求を受信したときは、局アドレス登録処理（図６）が実行される。すなわち、局アドレス登録要求（自局アドレスの問い合わせ）を受信すると（ステップＳ３１がＹＥＳ）、前記保存部２３に記憶している局アドレス登録テーブルを参照し、登録されていない局アドレスの中で一番若い番号をその局アドレス登録要求を送信した電子コントローラ１の局アドレスとして仮登録する（ステップＳ３２）。例えば、上位制御機器２０の初期状態では局アドレス１番が仮登録されることとなる。ここで、局アドレス登録テーブルは、例えば、各局アドレス（例えば番号１〜６４）にそれぞれ対応する記憶領域にその局アドレスが登録されているか否かを示すデータ（例えば、その局アドレスがいずれかの電子コントローラに割り当てられているときには「１」、割り当てられていないときには「０」）を記憶するテーブルとして実現される。
そして、その仮アドレス（すなわち、その局アドレス登録要求を送信した電子コントローラ１）に対して、局アドレス情報（番号１番）を送信する（ステップＳ３３）。
【００１９】
局アドレス登録要求を送信した電子コントローラ１は該局アドレス情報（番号１番）を受信後（図４のステップＳ５がＹＥＳ）、局アドレス１番を前記保存部１６に格納し、表示部１８にも局アドレス１番を所定時間（例えば、１０秒間）表示する（ステップＳ６）。これにより、オペレータは局アドレスが設定されたことを確認することができるとともに、設定された局アドレスが予測したものと一致しているか否かを確認することができる。そして、前記電子コントローラ１は、上位制御機器２０へ局アドレス情報に対する応答信号を送信する（ステップＳ７）。
上位制御機器２０は応答を受信後（図６のステップＳ３４がＹＥＳ）、前記局アドレス登録テーブルに仮登録している局アドレス番号を本登録し（ステップＳ３５）、その電子コントローラ１と通信を開始する（図５のステップＳ２３がＹＥＳ，ステップＳ２４、及び、図４のステップＳ８）。
【００２０】
同様にして、次に操作部１５で第１の所定の操作がなされた電子コントローラ１には、上位制御機器２０によって次に若い番号の局アドレス（例えば、局アドレス２番）が割り当てられ、通信が開始される。
このように、電子コントローラ１の操作部１５で第１の所定の操作をすることで、局アドレスの若い順に上位制御機器２０の局アドレス登録テーブルに順次登録され、上位制御機器２０と電子コントローラ１間で通信を行うことができる。
オペレータは、店舗内に設置された複数の冷却装置にそれぞれ対応した電子コントローラ１1〜１nの操作部１５を順次操作することにより、各電子コントローラ１1〜１nの操作された順番に従って若い局アドレスから順次局アドレスが設定されるため、冷却装置の設置場所などと対応付けて各冷却装置の局アドレスを設定することができる。
【００２１】
次に、ショーケースの局アドレス登録ミスがあった場合等に、既に局アドレス登録がされている電子コントローラ１の局アドレスを未設定状態にする局アドレス登録抹消処理について説明する。この処理は、前記ステップＳ６において前記表示部１８に表示された局アドレスがオペレータが予想していたものと相違していたときなどに実行される。
前記電子コントローラ１の操作部１５より前記局アドレス登録要求の場合とは異なる第２の所定の操作（例えば、複数の押しボタンを同時に所定時間（５秒以上）押し続けるなど）が行なわれた場合（図４のステップＳ９がＹＥＳ）、電子コントローラ１は局アドレス登録抹消要求を上位制御機器２０に対して送信する（ステップＳ１０）。この第２の所定の操作は、誤って操作される確率が低い操作とされている。
前記上位制御機器２０は該局アドレス登録抹消要求を受信すると（図７のステップＳ４１）、前記保存部２３に記憶されている局アドレス登録テーブルを参照し、該局アドレス登録テーブルからその局アドレス番号に関する登録を消去し（ステップＳ４２）、その電子コントローラ１に対して局アドレス登録抹消要求に対する応答を送信する（ステップＳ４３）。
該応答を受信した電子コントローラ１は（図４のステップＳ１１がＹＥＳ）、保存部１６に記憶されている自局アドレスを消去し（ステップＳ１２）、表示部１８に局アドレス未設定を表示する（ステップＳ１３）。
【００２２】
このようにして、局アドレスの登録ミスがあったときには、その局アドレス登録を抹消することができる。その後、そのショーケースの電子コントローラ１の操作部１５で前述した第１の所定の操作をすることにより（図４のステップＳ３がＹＥＳ）、前述のように上位制御機器２０へ局アドレス登録要求を送信して、新たな局アドレスを登録・設定すればよい。
なお、前記上位制御機器２０から回線上の全ての電子コントローラ１に対して一括して局アドレス未登録の処理を行う機能を持たせるようにしてもよい。これはシステムをイニシャライズするときに有効である。
【００２３】
さて、前述の実施の形態では、電子コントローラ１からの局アドレス登録要求に対して未登録のアドレスの中で一番若い番号を割り当てるようにしていた。しかしながら、運用中の電子コントローラが故障し、新しい電子コントローラに交換するような場合には、故障した電子コントローラと同一の局アドレスが設定されることが望ましい。
そこで、運用状態の電子コントローラ１が故障し、新規の電子コントローラ１に交換する場合に置き換えられた電子コントローラと同じ局アドレスを設定することができるようにした実施の形態について、図８及び図９を参照して説明する。図８は電子コントローラを交換するときの電子コントローラ１における処理の流れを示す図であり、図９は上位制御機器２０における処理の流れを示す図である。
【００２４】
運用中の電子コントローラ１が故障し、該故障した電子コントローラ１を通信路１０から切り離すと、該電子コントローラ１から定期的に送信されていた各種計測データや各種状態データが受信されなくなるため、上位制御機器２０の判断部２６は、その電子コントローラ１がオフライン状態になったと判断し、記憶部２２に保存している各電子コントローラの通信状態を示す情報中に、その電子コントローラ１の通信状態がオフライン状態であることを記憶する。
そして、オペレータが新規の電子コントローラ１を通信路１０に接続し、前記操作部１５の所定の押しボタン等を操作（第３の所定の操作）すると、図８に示す処理が実行される。すなわち、ステップＳ５１の判定結果がＹＥＳとなり、前述と同様に決定された仮アドレスを用いた局アドレス情報要求（現在オフライン状態となっている電子コントローラのアドレスの問い合わせ）が上位制御機器２０に送信される（ステップＳ５２）。ここで、前記第３の所定の操作は、前述した第１及び第２の所定の操作とは異なるものとされている。
【００２５】
図９に示すように、上位制御機器２０は、この局アドレス情報要求を受信すると（ステップＳ７１）、前記記憶部２２に保存されている通信状態がオフラインとされている局アドレスの情報（オフライン局アドレス）を仮アドレス（局アドレス情報要求を送信した電子コントローラ１）に対して送信する（ステップＳ７２）。
前記新規の電子コントローラ１は該オフライン局アドレスを受信し（図８のステップＳ５３がＹＥＳ）、送られてきたオフライン局アドレスが一つである場合は（ステップＳ５４がＹＥＳ）表示部１８にそのオフラインの局アドレスを表示する。
一方、送られてきたオフライン局アドレスが複数あった場合は（ステップＳ５４がＮＯ）、該複数の局アドレスのうち、いちばん若い番号の局アドレスを表示部１８に表示する（ステップＳ５９）。そして、所定の押しボタン（例えば、ＵＰ／ＤＯＷＮキー）が押されたら（ステップＳ６０）、送られてきた複数のオフライン局アドレスのうち次の局アドレスを前記表示部に表示する（ステップＳ６１）。このようにして、オペレータは任意の局アドレスを選択することができる。
オペレータは、前記ステップＳ５５、Ｓ５９又はＳ６１により表示部１８に表示された局アドレスを確認して、操作部１５の所定の押しボタン（例えば、ＥＮＴキー）を操作する。
【００２６】
前記制御部１３は、オペレータによりＥＮＴキーが押されたことを検出すると（ステップＳ５６又はＳ６２がＹＥＳ）、そのとき表示されていたオフラインの局アドレスを自局アドレスとして前記保存部１６に登録する（ステップＳ５７）。
そして、該電子コントローラ１から上位制御機器２０に局アドレス情報の応答信号を送信する（ステップＳ５８）。
この登録が行われることで上位制御機器２０の判断部２６は、その局アドレスの通信状態をオンライン状態とする。
これにより、電子コントローラ１を交換する際、上位制御機器２０に現在登録されている局アドレスの最も大きい番号＋１の局アドレスが割り当てられるのではなく、オフラインの局アドレスを電子コントローラで選択することができる。
【００２７】
次に、本発明の冷却装置の集中システムの第２の実施の形態について説明する。この実施の形態は、前述した第１の実施の形態の場合よりもより多くの冷却装置と電子コントローラが接続されるシステムに関するものである。
図１０は、本発明の第２の実施の形態の全体構成を示すブロック図、図１１はこの実施の形態における上位制御機器の一構成例を示すブロック図である。これらの図において、前記図１及び図２と同一の構成要素には同一の番号を付して説明を省略する。
図１０に示すように、この実施の形態においては、前記上位制御機器２０に１０−１及び１０−２で示す２系統の通信路が接続されており、各通信路にそれぞれ複数個の電子コントローラ１1〜１n及び冷却装置２1〜２nが接続されている。
そして、上位制御機器２０には、図１１に示すように、前記２系統の通信路１０−１及び１０−２にそれぞれ接続された２つの通信部２１−１及び２１−２が設けられている。
局アドレスは各通信系統ごとに決定されるものであり、このように複数の通信系統に複数の電子コントローラが接続されている場合には、各電子コントローラが接続されている通信系統と局アドレスの両者を管理することが必要となる。そこで、この実施の形態においては、複数の系統を統括して割り当てる論理的なアドレス（以下、単に「論理アドレス」とよぶ。）を用いて各電子コントローラを管理するようにしている。
なお、この実施の形態において、電子コントローラ１は、前記図３に示した第１の実施の形態の電子コントローラと同一の構成を有している。ただし、ここでは、前記保存部１６に各種設定値とともに上位制御機器２０と通信するための局アドレス及び前記論理アドレスを記憶するものとして説明する。電子コントローラ１の操作部１５を操作することにより、保存部１６に保存されている論理アドレスを読み出して表示部１８に表示することができる。
【００２８】
この実施の形態においては、上位制御機器２０は、通信系統１及び通信系統２に接続された全ての電子コントローラに対して所定時間ごとに局アドレス登録許可の情報を一斉送信し、電子コントローラ１からの局アドレス登録要求に対して、その電子コントローラが接続されている系統の未登録の局アドレスのうちの最も若い番号の局アドレスと、系統１と系統２に接続される電子コントローラ全てを統括して管理者が管理しやすいように並べ替えたアドレスである論理アドレスの未登録のもののうち最も若い番号の論理アドレスを、該登録要求を行った電子コントローラ１に送信する。この論理アドレスは、例えば、上位制御機器２０における表示画面上に表示される複数の冷却装置の配置などに応じて決定することができる。したがって、上位制御機器と電子コントローラで同じ番号（論理アドレス）を用いて管理することができることから、上位制御機器の表示から電子コントローラの位置の特定が容易にでき、メンテナンスがしやすいシステムとすることができる。
【００２９】
図１２は、上位制御機器２０における局アドレスの登録における局アドレスと論理アドレスの対応の一例を示す図である。ここでは、１つの系統に６０台の電子コントローラ１が接続可能であるとしている。
図１２において、上段は局アドレス、下段は論理アドレスを示しており、下段が１から１２０以外の値（通常は０又はFFH（Hは１６進数であることを示す。））の場合は、局アドレスが未登録であることを示し、当該電子コントローラ１（未登録）とは通信が行われないことを示している。
この図は、最も単純な例を示しており、系統１の局アドレス１〜６０に論理アドレスの１〜６０が割り当てられ、系統２の局アドレス１〜６０に論理アドレス６１〜が割り当てられている。ただし、論理アドレスの６６番以降は未登録状態である。
このような局アドレスの登録内容は前記保存部２３に格納される。このとき、局アドレス自体は登録のエリアの所定の位置が指定されていればメモリー上に格納する必要はない。そして、局アドレスを示す所定の位置に論理アドレスが格納されていれば、局アドレスが登録されたと判断しても良い。
なお、この例は、後述する局アドレス登録処理において、上位制御機器２０から所定時間ごと（例えば、数秒ごと）に局アドレス登録許可を全電子コントローラ１に送信し、その応答である電子コントローラからの局アドレス登録要求が、系統１の局アドレス１から６０、さらに系統２の局アドレス１から６０の順序で行われることを前提としたものである。
【００３０】
次に、前記保存部２３に記憶される各種テーブルやデータについて、図１３〜図１５を参照して説明する。
図１３は、局アドレス登録を行うために使用される（ａ）論理アドレス登録管理テーブル及び（ｂ）局アドレス登録管理テーブルの一例を示す図である。
図１３の（ａ）は、論理アドレス登録管理テーブルの例を示し、この例では、論理アドレス１から１２０にそれぞれ対応する保存エリアが設けられている。論理アドレス１から順次局アドレスが登録されていくものとし、当該エリアが局アドレスの番号（Ｎｏ）以外の値（通常は０又はFFH）であるときは論理アドレスが未登録と判断される。ここで、局アドレスは、図示するように、系統を示す２ビットと、各系統における局アドレスを示す６ビットの情報から構成されている。
図１３の（ｂ）は、局アドレス登録管理テーブルの例を示し、局アドレスの登録エリアとして、系統１に対して１から６０、系統２に対して１から６０の各局アドレスに対応する保存エリアがそれぞれ設けられている。該保存エリアに論理アドレスの番号（１から１２０）が存在すればその局アドレスは登録されているものと判断され、論理アドレスの番号以外の値（通常は０又はFFH）のときは未登録と判断される。ここで、論理アドレスは、８ビットの情報とされている。
【００３１】
図１４は、各局アドレスごとにその通信状態（オンラインであるかオフラインであるか）を記憶する通信状態表示テーブルの一例を示す図である。
図１４に示すように、通信状態表示テーブルは、各系統ごとに設けられ、それぞれの局アドレスごとにそのアドレスの電子コントローラがオンライン状態であるかオフライン状態であるかを記憶するものである。例えば、オンライン状態を「１」、オフライン状態を「０」で表す。電子コントローラから定期的に情報が受信されなくなるとオフライン状態とされる。なお、通信状態表示テーブルは保存部２３のかわりに前記記憶部２２に記憶するようにしてもよい。
【００３２】
図１５は、上位制御機器２０に接続されている各電子コントローラから送信される各冷却装置の運転状態や各種設定データなどを記憶するデータベースの一例を示す図である。
図１５に示すようにデータベースは、各論理アドレスごとに所定の大きさ（Ｎバイトとする。）のデータエリアが設けられている。各データエリアには、その論理アドレスの電子コントローラに送信すべき運転指令（ＯＵＴデータ）、その電子コントローラから受信したデータ（ＩＮデータ）、及び、その電子コントローラのパラメータデータが格納されている。
前記ＯＵＴデータ（運転指令）は、基本的には常に「０」であり、電子コントローラに対する指令（デフロスト開始／終了、庫内照明オン／オフ、作業照明オン／オフなど）が来ると対応するビットの値が「１」にセットされる。そして、ＩＮデータのステータス情報を参照し、反映されていれば０クリアされる。
前記ＩＮデータは、電子コントローラから送信されてくる温度データ、センサ入力の異常などを示すアラーム情報、その電子コントローラのデフロスト状態、庫内照明状態、作業照明状態などを示すステータス情報を保存する領域である。
パラメータデータは、その電子コントローラに対する各種設定値（温度設定値、上限警報設定値、下限警報設定値など）を記憶する領域である。
【００３３】
このように構成された冷却装置の集中監視システムにおける局アドレス登録処理について、図１６、図１７及び図１８を参照して説明する。ここで、図１６は上位制御機器２０の局アドレス登録処理の処理フローを示す図、図１７は上位制御機器の通常の通信処理のフローを示す図、図１８は電子コントローラの局アドレスの登録フローを示す図である。
上位制御機器２０が動作を開始すると、所定時間が経過したか否かを判定し（ステップＳ１０１）、所定時間経過していないときは通常の通信処理を行う（ステップＳ１１１）。
一方、所定時間経過しているときは、前記系統１及び系統２に接続されている全電子コントローラに対して局アドレス登録許可を送信し（ステップＳ１０２）、局アドレス登録許可の無応答タイマの計数を開始する（ステップＳ１０３）。このように、所定時間（例えば、数秒）ごとに、局アドレス登録許可が全電子コントローラに対して一斉送信される。
そして、上位制御機器２０は、接続されている電子コントローラ１から局アドレス登録要求が送信されてくるのを待つ（ステップＳ１０４）。そして、局アドレス登録要求が受信されることなく、設定した局アドレス登録許可の無応答タイマにより計数されている所定時間が経過したときは処理を終了する（ステップＳ１１２）。
後述するように、自局アドレスが設定されていない電子コントローラは前記局アドレス登録許可を受信すると、その表示部１８に通信可能状態であることを表示し、オペレータは該表示をみて、局アドレス登録要求を送信するための操作を行うことができる。
【００３４】
電子コントローラ１から所定時間内に局アドレス登録要求を受信したときは（ステップＳ１０４がＹＥＳ）、論理アドレス登録管理テーブルの未登録エリアの番号をサーチする（ステップＳ１０５）。すなわち、前記図１３（ａ）の論理アドレス登録管理テーブルにおいて、保存エリアに０又はFFHが書き込まれている論理アドレスのうち最も若い番号のものを選択する。
そして、該受信した局アドレス登録要求が系統１又は系統２のどちらから受信したものかを判断し（ステップＳ１０６）、系統１であるときは、系統１の局アドレス登録管理テーブルにおいて未登録の局アドレスをサーチし（ステップＳ１０７）、局アドレス登録管理テーブルの未登録エリアに論理アドレス番号をセットする（ステップＳ１０８）。すなわち、前記図１３（ｂ）における系統１の局アドレス登録管理テーブルの保存エリアに論理アドレスの番号以外の値（０又はFFH）が書き込まれている局アドレスのうち最も若い番号のものを選択し、その保存エリアに前記ステップＳ１０５でサーチした論理アドレスを書き込む。これにより、その局アドレスが登録されることとなる。
同様に、系統２から受信したときには、系統２の局アドレス登録管理テーブルに対して未登録エリアをサーチし（ステップＳ１１３）、論理アドレスをセットする（ステップＳ１１４）。
前記ステップＳ１０８又はＳ１１４において局アドレスを登録した後、ステップＳ１０９に進み、前記論理アドレス登録管理テーブルの前記ステップＳ１０５でサーチした論理アドレスの保存エリアに前記ステップＳ１０７又はＳ１１３でサーチした局アドレスを書き込む。これにより、論理アドレスが登録された。
そして、前記局アドレス登録要求を送信した電子コントローラに対して、登録した局アドレスと登録した論理アドレスを送信する（ステップＳ１１０）。
【００３５】
図１７は、上位制御機器２０における通常の通信処理（ステップＳ１１１）の流れを示すフローチャートである。なお、この図に示した処理は一つの通信系統に対するものであり、この実施の形態のように、２つの通信系統に接続されている場合には、図１７の処理をそれぞれの通信系統（系統１及び系統２）に対して行うことが必要である。
前記上位制御機器２０と各電子コントローラ１との間の通信方法としては、通常行われているＩ／Ｏ（ＩＮ／ＯＵＴ）通信と、変更等のイベントが発生したときに行われるメッセージ通信の２通りの方法があり、Ｉ／Ｏ通信には、さらに、ポーリング方式と一斉送信方式とがある。ポーリング方式は、アドレス（局アドレス）を指定して、ＯＵＴデータ（運転指令）を送信し、ＩＮデータ（警報データ、ステータス）を受信する方式であり、一斉送信方式は全ての電子コントローラに対して一斉送信する方式である。
【００３６】
この処理においては、まず、接続されている電子コントローラに対して送信すべきメッセージを蓄積するメッセージ送信キューに送信すべきデータが蓄積されているか否かを判断する（ステップＳ１２１）。前記判断部２６は、設定値の読み出しや設定の操作が行われたとき、メッセージ通信の要求電文を作成し、メッセージ送信キューにセットする。
送信すべきメッセージが蓄積されているときは、該当する電子コントローラにそのメッセージを送信し（ステップＳ１３０）、その電子コントローラからの応答をまって（ステップＳ１３１）、該当する論理アドレスのデータベースを更新し、表示部に表示する（ステップＳ１３２）。すなわち、設定値を読み出したときは、電子コントローラからの応答に含まれている設定値をデータベースに記録し、その設定値を表示部２５に表示する。設定値を設定したときは、該設定した設定値をデータベースに記録し、その設定値を表示部２５に表示する。
【００３７】
電子コントローラにメッセージ送信キューにメッセージが蓄積されていないときは（ステップＳ１２１がＮＯ）、局アドレスを示す変数ｉを「１」にセットし（ステップＳ１２２）、前記局アドレス登録管理テーブル（図１３の（ｂ））にその局アドレスｉが登録されているか否かを判定する（ステップＳ１２３）。すなわち、その系統の局アドレス登録管理テーブルのその局アドレスｉの保存エリアに論理アドレスの番号（１から１２０）が書き込まれているか否かを判定する。その結果、登録されていないときは、ｉをｉ＋１にインクリメントし（ステップＳ１２８）、ｉが系統１に接続されることができる最大値Ｎ（この例では、Ｎ＝６０）を超えていないときは再び前記ステップＳ１２３に戻り、最大値を超えているときはこの系統に接続されている電子コントローラに対する通常の通信処理を終了する（ステップＳ１２９）。
アドレスｉが前記局アドレス登録管理テーブルに登録されているときには（ステップＳ１２３がＹＥＳ）、前記通信状態表示テーブル（図１４）を参照し、その局アドレスｉの電子コントローラがオンライン状態であるか否かを判定する（ステップＳ１２４）。最初は、オフライン状態とされている。
アドレスｉの電子コントローラがオフライン状態のときは、そのアドレスｉに対してコネクション開始コマンドを送信し（ステップＳ１２５）、アドレスｉから応答があれば（ステップＳ１２６がＹＥＳ）、前記通信状態管理テーブルのアドレスｉをオンライン状態とし（ステップＳ１２７）、応答がなければオフライン状態のまま、前記ステップＳ１２８に進み、次のアドレス（ｉ＋１）の処理に進む。
【００３８】
アドレスｉがオンライン状態のときは（ステップＳ１２４がＹＥＳ）、前記局アドレス管理テーブルを参照してアドレスｉの論理アドレスを取得し（ステップＳ１３３）、該当する論理アドレスのデータベース（前記図１５）に変更があるか否かを判定する（ステップＳ１３４）。オペレータによる指示やスケジュールに基づく設定の変更やデフロストの開始／終了、照明のオン／オフなどの指示があり、データベースのＯＵＴデータが「０」でなくなったときは、該当する局アドレスｉのポーリングデータをそのＯＵＴデータを含むように更新して（ステップＳ１３８）、局アドレスｉに対してポーリングデータを送信する（ステップＳ１３５）。
そして、該局アドレスｉからの応答を待ち、応答があったときは（ステップＳ１３６がＹＥＳ）、その応答に含まれる温度データ、アラーム情報及びステータス情報により該当する論理アドレスのデータベースを更新し、その内容を前記表示部２５に表示する（ステップＳ１３７）。
一方、アドレスｉからの応答がないときは（ステップＳ１３６がＮＯ）、そのアドレスｉをオフライン状態とする（ステップＳ１３９）。すなわち、前記通信状態表示テーブルのアドレスｉを書き換える。
そして、前記ステップＳ１２８に進み、次の局アドレスの処理に進む。
【００３９】
図１８は、前記電子コントローラ１の制御部１３により実行される局アドレス登録処理の流れを説明するための図である。
処理が開始されるとまず、前記制御部１３は、前記保存部１６に自局アドレスが記憶されているか否かを判定する（ステップＳ１４１）。前述のように、この実施の形態においては、前記保存部１６に各種設定値とともにこの電子コントローラの局アドレスと論理アドレスが記憶されている。
前記保存部１６に自局の局アドレスが記憶されているときにはステップＳ１４９に進み、通常の通信処理を行う。すなわち、上位制御機器２０からの前述したＩ／Ｏ通信やメッセージ通信に対する応答を行う。
前記保存部１６に自局アドレスが記憶されていないときは、前記上位制御機器２０から所定時間ごとに一斉送信される局アドレス登録許可の受信を待つ（ステップＳ１４２）。局アドレス登録許可を受信できなかったときは、上位制御機器２０との通信を行わない単独運転を行う（ステップＳ１５０）。
【００４０】
前記上位制御機器からの局アドレス登録許可を受信すると（ステップＳ１４２がＹＥＳ）、前記表示部１８に通信可能状態にあることを表示する（ステップＳ１４３）。オペレータは、電子コントローラを設置したときに、この通信可能状態を示す表示をみることにより、配線ミス等がなく上位制御機器２０に対して通信をすることができる状態にあることを知ることができる。
オペレータは、該通信可能状態が表示されている電子コントローラが複数ある場合は、付与したい論理アドレスの順に、電子コントローラの操作部１５の操作スイッチを操作する。前述のように、前記上位制御機器２０により、未登録の論理アドレスのうち若い番号から順に論理アドレスが割り当てられるため、所望の論理アドレスを電子コントローラに付与することができる。なお、局アドレスは、系統ごとに若い番号から割り当てられる。
【００４１】
前記制御部１３は、前記操作部１５のいずれかの操作スイッチが押されたか否かを判定し（ステップＳ１４４）、操作スイッチが押されたときには、上位制御機器２０に対して局アドレス登録要求を送信する（ステップＳ１４５）。この局アドレス登録要求は、前記第１の実施の形態の場合と同様に、仮アドレスを使用して送信される。
これにより、前記図１６に関して説明したように、上位制御機器２０において局アドレス登録処理が行われ、同じ系統の中で若い番号から割り当てられた局アドレスと複数の系統にまたがって若い番号から割り当てられた論理アドレスが送信されてくることとなる。
そして、上位制御機器２０から局アドレスと論理アドレスを受信すると（ステップＳ１４６がＹＥＳ）、該局アドレスと論理アドレスを前記保存部１６に記憶するとともに（ステップＳ１４７）、前記表示部１８に割り当てられた論理アドレスを表示する（ステップＳ１４８）。
【００４２】
このような構成とすることで、上位制御機器と電子コントローラは同じ番号（論理アドレス）で管理することができ、上位制御機器の表示から電子コントローラの位置の特定が容易にできるため、管理者にメンテナンスがしやすいシステムを提供することができる。
また、システムを構築していく場合も、電子コントローラ１のアドレス表示（論理アドレスの番号（１から１２０））を確認しながら実施するため、システム構築後改めてシステムの構築のミスがないかを確認する必要がないためスタートアップを短時間に実施できる効果がある。
さらに、システムを拡張する場合も、上位制御機器の改造やその後のチェックを短時間に簡単に行うことができる効果がある。
さらにまた、局アドレスが登録されていない状態でも局アドレス登録が可能か否かが電子コントローラの表示上で確認できることからスタートアップを短時間に実施できる効果がある。
【００４３】
なお、この実施の形態においても、前述した第１の実施の形態の場合と同様に、論理アドレスの登録抹消の処理や故障した電子コントローラを取り替えたときにオフライン状態にある論理アドレスを割り当てる処理を行うようにすることもできる。
また、上記においては、通信回線が２系統の場合を示したが、通信回線の系統数はシステム規模に合わせて増減が可能である。
さらに、上位制御機器２０を複数備えて、上位制御機器２０間を通信回線（例えば、イーサネット）で接続して前記論理アドレス及び電子コントローラ１の所有するデータ等を共有管理することでシステム規模を拡大する形態のものであっても良い。
【図面の簡単な説明】
【００４４】
【図１】本発明の冷却装置の集中監視システムの第１の実施の形態の全体構成を示す図である。
【図２】本発明の第１の実施の形態における冷却装置の上位制御機器の一構成例を示すブロック図である。
【図３】本発明の電子コントローラの一構成例を示すブロック図である。
【図４】本発明の第１の実施の形態における電子コントローラの通信メイン処理を示す流れ図である。
【図５】本発明の第１の実施の形態における上位制御機器の通信メイン処理を示す流れ図である。
【図６】本発明の第１の実施の形態における上位制御機器の局アドレス登録処理を示す流れ図である。
【図７】本発明の第１の実施の形態における上位制御機器の局アドレス登録抹消処理を示す流れ図である。
【図８】本発明の第１の実施の形態において電子コントローラを交換したときの電子コントローラの処理を示す流れ図である。
【図９】本発明の第１の実施の形態において電子コントローラを交換したときの上位制御機器の処理を示す流れ図である。
【図１０】本発明の冷却装置の集中監視システムの第２の実施の形態の全体構成を示す図である。
【図１１】本発明の第２の実施の形態における冷却装置の上位制御機器の一構成例を示すブロック図である。
【図１２】本発明の第２の実施の形態における局アドレスと論理アドレスの対応関係の一例を示す図である。
【図１３】本発明の第２の実施の形態における論理アドレス管理テーブル及び局アドレス管理テーブルの一例を示す図である。
【図１４】本発明の第２の実施の形態における通信状態表示テーブルの一例を示す図である。
【図１５】本発明の第２の実施の形態におけるデータベースの一例を示す図である。
【図１６】本発明の第２の実施の形態における上位制御機器の局アドレス登録処理を示す流れ図である。
【図１７】本発明の第２の実施の形態における上位制御機器の通常の通信処理を示す流れ図である。
【図１８】本発明の第２の実施の形態における電子コントローラの局アドレス登録処理を示す流れ図である。
【符号の説明】
【００４５】
１，１1〜１n：電子コントローラ、２，２1〜２n：冷却装置（ショーケース）、３：給液電磁弁、４：庫内温度センサ、１０，１０−１，１０−２：通信路、１１：電磁弁駆動回路、１２：温度センサ入力回路、１３：制御部、１４：Ａ／Ｄ変換器、１５：操作部、１６：保存部、１７：通信部、１８：表示部、１９：記憶部、２０：上位制御機器、２１，２１−１，２１−２：通信部、２２：記憶部、２３：保存部、２４：操作部、２５：表示部、２６：判断部
【図１】
2006029769.tif 000003
【図２】
2006029769.tif 000004
【図３】
2006029769.tif 000005
【図４】
2006029769.tif 000006
【図５】
2006029769.tif 000007
【図６】
2006029769.tif 000008
【図７】
2006029769.tif 000009
【図８】
2006029769.tif 000010
【図９】
2006029769.tif 000011
【図１０】
2006029769.tif 000012
【図１１】
2006029769.tif 000013
【図１２】
2006029769.tif 000014
【図１３】
2006029769.tif 000015
【図１４】
2006029769.tif 000016
【図１５】
2006029769.tif 000017
【図１６】
2006029769.tif 000018
【図１７】
2006029769.tif 000019
【図１８】
2006029769.tif 000020